(57)【要約】      （修正有）【課題】程よい風を通して、居心地の良い空間を作り出す移動式格子戸を提供する。【解決手段】複数の縦格子材１１は、奥行き方向の長さｘが左右方向の幅ｙよりも長く、且つ、奥行き方向の長さｘよりも短い所定の間隔ｚを開けて左右方向に等間隔で配置される。上側固定材１２は、複数の縦格子材１１の上端部同士を固定する。上側コロ１３は、上側固定材１２の上面に設けられる。下側固定材１４は、複数の縦格子材１１の下端部同士を固定する。下側コロ１５は、下側固定材１４の下面に設けられる。弾性部材２０は、第一の面格子１０ａと第二の面格子とのそれぞれの上側固定材１２又は下側固定材１４の左右方向の側面のそれぞれに設けられ、第一の面格子１０ａと第二の面格子とが左右方向に隣接した際に、互いに隣接する第一の面格子１０ａの最も側面に位置する第一の側面縦格子材と、第二の面格子の最も側面に位置する第二の側面縦格子材との間の距離を間隔ｚと同等に保つ。【選択図】図３
0003235343.tif 000002
【実用新案登録請求の範囲】
【請求項１】
鉛直方向に延出され、奥行き方向の長さが左右方向の幅よりも長く、且つ、前記奥行き方向の長さよりも短い所定の間隔を開けて左右方向に等間隔で配置された複数の縦格子材と、
左右方向に延出され、前記複数の縦格子材の上端部同士を固定する上側固定材と、
前記上側固定材の上面に設けられ、回転可能な上側コロと、
左右方向に延出され、前記複数の縦格子材の下端部同士を固定する下側固定材と、
前記下側固定材の下面に設けられ、回転可能な下側コロと、
を備えた第一の面格子と、第二の面格子と、
前記第一の面格子と前記第二の面格子とのそれぞれの上側固定材又は下側固定材の左右方向の側面のそれぞれに設けられ、前記第一の面格子と前記第二の面格子とが左右方向に隣接した際に、互いに隣接する前記第一の面格子の最も側面に位置する第一の側面縦格子材と、前記第二の面格子の最も側面に位置する第二の側面縦格子材との間の距離を前記間隔と同等に保つ弾性部材と、
左右方向に延出され、部屋の左右方向の開口部の上端部に設けられ、前記第一の面格子と前記第二の面格子とのそれぞれの上側コロがスライド可能な上側溝部と、
左右方向に延出され、前記開口部の下端部に設けられ、前記第一の面格子と前記第二の面格子とのそれぞれの下側コロがスライド可能な下側溝部と、
を備えた移動式格子戸。
【考案の詳細な説明】
【技術分野】
【０００１】
本考案は、移動式格子戸に関する。
【背景技術】
【０００２】
従来より、部屋の開口部に設置する格子戸に関する技術が多種存在する。例えば、特開平１０−１８７２５号公報（特許文献１）には、部屋の開口部に対をなすガラス戸のうちの一方のガラス戸に隣接して取付けられ、他方のガラス戸に対向する格子戸が開示されている。この格子戸では、両側上部に形成した嵌合孔部に上下動可能に嵌合され、常時は上方に付勢されて開口部側に係合する係合部と、この係合部に近接して形成された収容部に上下動可能に収容され、上端が開口部側に係合した状態で格子戸側に固定される固定部とを備える。これにより、風通しが良く、開口部に取り付け固定部を開口部に係合すれば、開口部側に対する脱着を簡単に行なうことができて、しかも、格子戸を外部から取り外すことができないので、防犯上の見地からも安全であるとしている。
【０００３】
又、特開２００９−１２１０６５号公報（特許文献２）には、格子体の両面にガラス板をそれぞれ積層してペアガラスを形成し、ペアガラスの左右両側端面にガラス板よりも格子体を外方に突出させた突出部を設け、透光用開口を囲繞する框材の左右の内側端面にペアガラスの厚みより若干幅広で且つ内方へ開口する取付溝を形成し、透光用開口に配置したペアガラスの左右の端縁部を上記取付溝に遊挿し、ペアガラスの突出部の先端面を取付溝の溝底面に配設した弾性体に圧接してペアガラスを框材に支持した格子戸が開示されている。これにより、ペアガラスをガラス板の破損の恐れ無く框材に支持できる、という利点を有するとしている。
【０００４】
又、特開２０１０−２２２８３５号公報（特許文献３）には、それぞれ平行に配置される第１ 格子戸と第２ 格子戸からなる引き戸型の格子付き扉が開示されている。この格子付き扉では、第１格子戸及び第２格子戸はそれぞれ複数の格子で構成され、各格子は隣接する格子どうしを近接及び離間可能に連結子で連結されており、第１格子戸及び第２格子戸のそれぞれの格子どうしが近接し、第１格子戸及び第２格子戸により開口部を遮蔽する閉鎖状態と、第１格子戸と第２格子戸のそれぞれの格子が離間し、第１格子戸と第２格子戸の格子同士を相対して配置し、開口部にスリットを形成する開放状態とに切り替え可能である。これにより、閉鎖時の遮音性や光漏れ防止性能の高い、閉鎖状態と開放状態を切り替えることができるとしている。
【０００５】
又、特開２０１４−１０９１５４号公報（特許文献４）には、枠体と、複数本の固定側縦格子と、複数本の可動側縦格子と、固定側横桟材と、可動側横桟材と、を備える格子戸の構造が開示されている。この格子戸の構造では、枠体は、縦横の枠材が矩形状に組み立てられてなり、複数本の固定側縦格子は、枠体の厚さ方向の一方側に、互いに一定の間隔をあけて配置されるとともに、上下端部が枠体の横枠材に対して固定される。複数本の可動側縦格子は、枠体の厚さ方向の他方側に、互いに一定の間隔をあけて配置されるとともに、上下端部が枠体の横枠材に対し、横枠材の長さ方向に沿って連動してスライド可能に取り付けられる。固定側横桟材は、複数本の固定側縦格子に直交して配置されるとともに、複数本の固定側縦格子の同一高さ位置に形成された切欠部に嵌合固定され、可動側横桟材は、複数本の可動側縦格子に直交して配置されるとともに、複数本の可動側縦格子の同一高さ位置に形成された切欠部に嵌合固定される。そして、固定側横桟材と可動側横桟材は略等しい高さに配置され、互いに当接している。これにより、たとえ湿気の影響を受けても、複数本の可動側縦格子と複数本の固定側縦格子とが噛み合ってしまったり、湿気によって建てつけが悪くなってしまったりすることを確実に回避でき、複数本の可動側縦格子を複数本の固定側縦格子に対して確実にスライド移動させることが可能となるとしている。又、複数本の固定側縦格子と複数本の可動側縦格子とが互いに離間する方向にも撓みにくくなるため、隙間風や明かり漏れ等が生じることを確実に防ぐことができるとしている。
【先行技術文献】
【特許文献】
【０００６】
【特許文献１】特開平１０−１８７２５号公報
【特許文献２】特開２００９−１２１０６５号公報
【特許文献３】特開２０１０−２２２８３５号公報
【特許文献４】特開２０１４−１０９１５４号公報
【考案の概要】
【考案が解決しようとする課題】
【０００７】
一般的に、部屋の窓を開けることで、風通しを良くするが、単に、窓を開けると、部屋の中を外部から見られるおそれがあり、セキュリティー上の課題が生じる。そこで、上述のように、窓に格子戸を設置して、風通しを良くするとともに、外部から見え難くすることが行われている。
【０００８】
しかしながら、一般的な格子戸は、窓に固定するか、窓の左右に移動可能かの２種類であるため、ユーザーが、簡単に格子戸を付けたり外したりすることが出来ないという課題がある。
【０００９】
一方、単純な構成の格子戸を窓に設置しても、外部から格子戸を介して部屋の中の一部を見ることが可能であり、上述の課題を容易に解決することが出来ない。上述の特許文献１−４に記載の技術では、窓に設置するタイプの格子戸であり、同様の課題が生じる。
【００１０】
ところで、建築現場では、上述のセキュリティーの他に、建築物のデザイン性も重視される。単に部屋の窓に格子戸を設けただけでは、格子戸の一つ一つが目立ってしまい、デザイン性が失われるという課題がある。
【００１１】
そこで、本考案は、課題を解決するためになされたものであり、程よい風を通して、居心地の良い空間を作り出すことが可能であり、外部から部屋の内部を視認し難く、デザイン性に優れ、格子戸を自由に付けたり外したりすることが可能な移動式格子戸を提供することを目的とする。
【課題を解決するための手段】
【００１２】
本考案者は、鋭意研究を重ねた結果、本考案に係る新規な移動式格子戸を完成させた。即ち、本考案に係る移動式格子戸は、第一の面格子及び第二の面格子と、弾性部材と、上側溝部と、下側溝部と、を備える。第一の面格子及び第二の面格子は、複数の縦格子材と、上側固定材と、上側コロと、下側固定材と、下側コロと、を備える。複数の縦格子材は、鉛直方向に延出され、奥行き方向の長さが左右方向の幅よりも長く、且つ、前記奥行き方向の長さよりも短い所定の間隔を開けて左右方向に等間隔で配置される。上側固定材は、左右方向に延出され、前記複数の縦格子材の上端部同士を固定する。上側コロは、前記上側固定材の上面に設けられ、回転可能である。下側固定材は、左右方向に延出され、前記複数の縦格子材の下端部同士を固定する。下側コロは、前記下側固定材の下面に設けられ、回転可能である。弾性部材は、前記第一の面格子と前記第二の面格子とのそれぞれの上側固定材又は下側固定材の左右方向の側面のそれぞれに設けられ、前記第一の面格子と前記第二の面格子とが左右方向に隣接した際に、互いに隣接する前記第一の面格子の最も側面に位置する第一の側面縦格子材と、前記第二の面格子の最も側面に位置する第二の側面縦格子材との間の距離を前記間隔と同等に保つ。上側溝部は、左右方向に延出され、部屋の左右方向に位置する開口部の上端部に設けられ、前記第一の面格子と前記第二の面格子とのそれぞれの上側コロがスライド可能である。下側溝部は、左右方向に延出され、前記開口部の下端部に設けられ、前記第一の面格子と前記第二の面格子とのそれぞれの下側コロがスライド可能である。
【考案の効果】
【００１３】
本考案によれば、程よい風を通して、居心地の良い空間を作り出すことが可能であり、外部から部屋の内部を視認し難く、デザイン性に優れ、格子戸を自由に付けたり外したりすることが可能となる。
【図面の簡単な説明】
【００１４】
【図１】本考案の実施形態に係る移動式格子戸の第一の面格子と第二の面格子を隣接させる際の一例を示す正面図である。
【図２】本考案の実施形態に係る移動式格子戸の第一の面格子の一例を示す正面図と右側面図とである。
【図３】本考案の実施形態に係る移動式格子戸の第一の面格子の一例を示す斜視図である。
【図４】本考案の実施形態に係る移動式格子戸の第一の面格子と第二の面格子を隣接させた際の一例を示す正面図である。
【図５】本考案の実施形態に係る移動式格子戸の第一の面格子の平面視断面図（図５Ａ）と、移動式格子戸の第一の面格子と第二の面格子を隣接させた際の一例を示す正面図（図５Ｂ）である。
【図６】本考案の実施形態に係る移動式格子戸の第一の面格子の上側の正面視斜視図（図６Ａ）と、下側の正面視斜視図（図６Ｂ）とである。
【図７】本考案の実施形態に係る移動式格子戸の第一の面格子と第二の面格子を隣接させた際の一例を示す側面視斜視図である。
【図８】本考案の実施形態に係る移動式格子戸の第一の面格子と第二の面格子を隣接させた際の一例を示す上側の正面視斜視図（図８Ａ）と、下側の正面視斜視図（図８Ｂ）とである。
【図９】本考案の実施形態に係る移動式格子戸の第一の面格子と第二の面格子を隣接させて、部屋の内側から見た際の一例を示す正面視斜視図（図９Ａ）と、部屋の内側から見た際の一例を示す正面視斜視図（図９Ｂ）とである。
【考案を実施するための形態】
【００１５】
以下に、添付図面を参照して、本考案の実施形態について説明し、本考案の理解に供する。尚、以下の実施形態は、本考案を具体化した一例であって、本考案の技術的範囲を限定する性格のものではない。
【００１６】
本考案の実施形態に係る移動式格子戸１は、図１−図２に示すように、第一の面格子１０ａ及び第二の面格子１０ｂと、弾性部材２０と、上側溝部３０と、下側溝部４０と、を備える。
【００１７】
第一の面格子１０ａ及び第二の面格子１０ｂは、複数の縦格子材１１と、上側固定材１２と、上側コロ１３と、下側固定材１４と、下側コロ１５と、を備える。
【００１８】
複数の縦格子材１１は、鉛直方向に延出され、奥行き方向の長さｘが左右方向の幅ｙよりも長く、且つ、奥行き方向の長さｘよりも短い所定の間隔ｚを開けて左右方向に等間隔で配置される。
【００１９】
上側固定材１２は、左右方向に延出され、複数の縦格子材１１の上端部同士を固定する。上側コロ１３は、上側固定材１２の上面に設けられ、回転可能である。
【００２０】
下側固定材１４は、左右方向に延出され、複数の縦格子材１１の下端部同士を固定する。下側コロ１５は、下側固定材１４の下面に設けられ、回転可能である。
【００２１】
弾性部材２０は、第一の面格子１０ａと第二の面格子１０ｂとのそれぞれの上側固定材１２又は下側固定材１４の左右方向の側面のそれぞれに設けられ、第一の面格子１０ａと第二の面格子１０ｂとが左右方向に隣接した際に、互いに隣接する第一の面格子１０ａの最も側面に位置する第一の側面縦格子材１１ａと、第二の面格子１０ｂの最も側面に位置する第二の側面縦格子材１１ｂとの間の距離を間隔ｚと同等に保つ。
【００２２】
上側溝部３０は、左右方向に延出され、部屋の左右方向に位置する開口部の上端部に設けられ、第一の面格子１０ａと第二の面格子１０ｂとのそれぞれの上側コロ１３がスライド可能である。
【００２３】
下側溝部４０は、左右方向に延出され、開口部の下端部に設けられ、第一の面格子１０ａと第二の面格子１０ｂとのそれぞれの下側コロ１５がスライド可能である。
【００２４】
これにより、程よい風を通して、居心地の良い空間を作り出すことが可能であり、外部から部屋の内部を視認し難く、デザイン性に優れ、格子戸を自由に付けたり外したりすることが可能となる。
【００２５】
即ち、図３Ａに示すように、第一の面格子１０ａと第二の面格子１１ａとは、複数の縦格子材１１で構成されていることから、風通しが良いとともに、部屋の内部から縦格子材１１を介して外部を程よく確認することが出来る。そのため、部屋の内部のユーザーにとって、居心地の良い空間を作り出すことが可能となる。
【００２６】
又、第一の面格子１０ａと第二の面格子１１ａとのそれぞれの複数の縦格子材１１は、奥行き方向の長さｘが左右方向の幅ｙよりも長く、且つ、奥行き方向の長さｘよりも短い所定の間隔ｚを開けて左右方向に等間隔で配置されている。これにより、部屋の外部のユーザーが、縦格子材１１を介して内部を見る時は、ユーザーの目線が、縦格子材１１の奥行方向に対して少しでも角度が生じると、縦格子材１１の奥行き方向の長さｘに遮られて、部屋の内部を見ることが出来なくなる。そのため、外部から部屋の内部を視認し難くすることが可能となり、セキュリティー上の課題を解決することが出来る。
【００２７】
更に、第一の面格子１０ａと第二の面格子１１ａとを左右方向に隣接した場合、第一の面格子１０ａと第二の面格子１１ａとのそれぞれの弾性部材２０により、第一の側面縦格子材１１ａと第二の側面縦格子材１１ｂとの間の距離が、互いに隣接する他の複数の縦格子材１１の間隔ｚと同じになる。すると、図３Ｂに示すように、例えば、第一の面格子１０ａと第二の面格子１１ａとの上端付近と下端付近とのそれぞれが所定の部材５０で隠されると、第一の面格子１０ａと第二の面格子１１ａとのそれぞれの複数の縦格子材１１のデザインが一体化する。つまり、第一の面格子１０ａと第二の面格子１１ａとのそれぞれが一つ一つの単位として見えずに、全体として、一連の移動式格子戸１のデザインとなり、デザイン性を向上させることが出来る。
【００２８】
そして、第一の面格子１０ａと第二の面格子１１ａとのそれぞれの上側コロ１３と下側コロ１５は、上側溝部３０と下側溝部４０とのそれぞれにスライドさせて入れているだけであるため、自由に取り外し可能である。そのため、ユーザーは、季節や場面に応じて、第一の面格子１０ａと第二の面格子１１ａとを開口部に設置して、和空間にしたり、第一の面格子１０ａと第二の面格子１１ａとを開口部から外して、洋空間にしたりして、自由に空間の演出を切り替えることが可能となる。
【００２９】
ここで、縦格子材１１の材質に特に限定は無いが、例えば、木製や金属製などを挙げることが出来る。又、縦格子材１１に関する奥行き方向の長さｘは、左右方向の幅ｙよりも長く、且つ、間隔ｚよりも長く設計されていれば、特に限定は無い。又、縦格子材１１に関する左右方向の幅ｙは、奥行き方向の長さｘより短く設計されていれば、特に限定は無いが、例えば、間隔ｚより短く設計されると、風通しが良くなり、好ましい。又、縦格子材１１の鉛直方向の長さに特に限定は無く、部屋の開口部に合わせて適宜設計される。
【００３０】
又、上側固定材１２の構成に特に限定は無いが、例えば、複数の縦格子材１１の上端部付近を覆うコの字状の部材を挙げることが出来る。又、上側固定材１２の材質に特に限定は無いが、例えば、金属製などを挙げることが出来る。
【００３１】
又、複数の縦格子材１１の上端部に対する上側固定材１２の固定方法に特に限定は無いが、例えば、ビス止めや接着剤による接着などを挙げることが出来る。
【００３２】
又、上側コロ１３の構成に特に限定は無いが、例えば、球状のコロや半球状のコロ、円柱状のコロや円盤状のコロなどを挙げることが出来る。
【００３３】
尚、下側固定材１４の構成は、上側固定材１２の構成と同等であると好ましい。又、下側コロ１５の構成は、上側コロ１３の構成と同等であると好ましい。
【００３４】
又、弾性部材２０の形状に特に限定は無いが、例えば、円柱状、四角柱状、多角柱状、円錐台状などを挙げることが出来る。又、弾性部材２０の材質に特に限定は無いが、例えば、ゴムの他に、合成樹脂やエラストマー、スポンジ、発泡体などを挙げることが出来る。又、弾性部材２０の数に特に限定は無いが、例えば、上側固定材１２又は下側固定材１４だけに設置されても良いし、上側固定材１２及び下側固定材１４にそれぞれ設置されても構わない。又、面格子の位置に応じて、弾性部材２０は、上側固定材１２又は下側固定材１４の左右方向の一側面に設けられても良いし、両側面に設けられても構わない。
【００３５】
又、上側溝部３０の構成に特に限定は無いが、例えば、上側コロ１３又は／及び上側固定材１２がスライド可能なコの字状の部材を挙げることが出来る。上側溝部３０の材質に特に限定は無いが、例えば、金属製などを挙げることが出来る。尚、下側溝部４０の構成は、上側溝部３０の構成と同等であると好ましい。
【００３６】
又、移動式格子戸１を構成する面格子は、少なくとも第一の面格子１０ａと第二の面格子１１ａとの２つを用意すれば良いが、２つ以上の面格子を用意して、移動式格子戸１を構成しても構わない。
【００３７】
又、部屋の開口部の種類に特に限定は無いが、例えば、部屋の窓に限らず、部屋間の仕切りが設置される開口部などを挙げることが出来る。
【００３８】
又、第一の面格子１０ａと第二の面格子１１ａとを上側溝部３０と下側溝部４０とのそれぞれに装着してスライドさせる方法に特に限定は無いが、例えば、ユーザーが手で第一の面格子１０ａと第二の面格子１１ａとをスライドさせても良いし、電動で自動的に第一の面格子１０ａと第二の面格子１１ａとをスライドさせても構わない。
【００３９】
さて、本考案の実施形態に係る移動式格子戸１の作用効果について説明する。例えば、図４Ａに示すように、鉛直方向の長さが２００ｍｍ、奥行き方向の長さｘが６０ｍｍ、左右方向の幅ｙが３０ｍｍである縦格子材１１を１１本用意し、間隔ｚを４５ｍｍだけ開けて左右方向に等間隔で配置して、複数の縦格子材１１の上端部同士をコの字状の部材の上側固定材１２で覆ってビス止めした。又、上側固定材１２の上面の左右方向の両端部付近に円盤状の上側コロ１３をそれぞれ設置し、上側固定材１２の左右方向の側面に円錐台状の弾性部材２０を設置した。
【００４０】
又、図４Ｂに示すように、複数の縦格子材１１の下端部同士をコの字状の部材の下側固定材１４で覆ってビス止めし、下側固定材１４の下面の左右方向の両端部付近に円盤状の下側コロ１５をそれぞれ設置し、下側固定材１４の左右方向の側面に円錐台状の弾性部材２０を設置した。このようにして、第一の面格子１０ａと第二の面格子１０ｂと第三の面格子１０ｃの３つ以上の面格子を製造した。
【００４１】
次に、図５に示すように、部屋の左右方向の開口部の上端部にコの字状の部材の上側溝部３０を設置するとともに、開口部の下端部にコの字状の部材の下側溝部４０を設置して、移動式格子戸１を構成した。そして、第一の面格子１０ａと第二の面格子１０ｂと第三の面格子１０ｃとのそれぞれを上側溝部３０と下側溝部４０とに滑らして、左右方向に隣接して配置した。
【００４２】
図６Ａに示すように、第一の面格子１０ａと第二の面格子１０ｂとが左右方向に隣接した際に、弾性部材２０の存在により、第一の側面縦格子材１１ａと第二の側面縦格子材１１ｂとの間の距離が、他の複数の縦格子材１１の間隔ｚと同等となった。
【００４３】
このような状態で、部屋の内部から移動式格子戸１を介して外部を見ると、図７Ａに示すように、移動式格子戸１を介して外部を程よく確認することが出来ることが理解される。更に、移動式格子戸１からは程よい風が流れることになるため、部屋の内部のユーザーにとっては居心地の良い空間となるのである。
【００４４】
一方、部屋の外部のユーザーが、移動式格子戸１を介して内部を見る時は、ユーザーの目線が、縦格子材１１の奥行方向に対して少しでも角度が生じると、縦格子材１１の奥行き方向の長さｘに遮られることになるため、図７Ｂに示すように、部屋の内部を殆ど確認することが出来ないことが理解される。ユーザーの目線を異なる角度にしても同様である。そのため、外部から部屋の内部を視認し難くすることが可能となり、セキュリティー上の課題を解決することが出来るのである。
【００４５】
更に、第一の面格子１０ａと第二の面格子１１ａとを左右方向に隣接すると、弾性部材２０により、両者は一体化されたデザインとなる。そのため、図７Ａ、図７Ｂに示すように、全体として、一連の移動式格子戸１のデザインとなり、デザイン性が向上したことが理解される。
【００４６】
このように、本考案は、程よい風を通して、居心地の良い空間を作り出すことが可能であり、外部から部屋の内部を視認し難く、デザイン性に優れ、格子戸を自由に付けたり外したりすることが可能となる。
【産業上の利用可能性】
【００４７】
以上のように、本考案は、部屋に限らず、家やホテル、施設などあらゆる建築物の移動式格子戸として有用であり、程よい風を通して、居心地の良い空間を作り出すことが可能であり、外部から部屋の内部を視認し難く、デザイン性に優れ、格子戸を自由に付けたり外したりすることが可能な移動式格子戸として有効である。
【符号の説明】
【００４８】
１    移動式格子戸
１０ａ  第一の面格子
１０ｂ  第二の面格子
１１  縦格子材
１２  上側固定材
１３  上側コロ
１４  下側固定材
１５  下側コロ
２０  弾性部材
３０  上側溝部
４０  下側溝部
【図１】
0003235343.tif 000003
【図２】
0003235343.tif 000004
【図３】
0003235343.tif 000005
【図４】
0003235343.tif 000006
【図５】
0003235343.tif 000007
【図６】
0003235343.tif 000008
【図７】
0003235343.tif 000009
【図８】
0003235343.tif 000010
【図９】
0003235343.tif 000011